【手続補正書】
【提出日】平成19年5月24日(2007.5.24)
【手続補正１】
【補正対象書類名】明細書
【補正対象項目名】全文
【補正方法】変更
【補正の内容】
【書類名】明細書
【発明の名称】液体混合装置
【特許請求の範囲】
【請求項１】 クローズドシステムを有する減圧液体混合装置のための減圧遮断部であって、
入水口と排水口（４０）と減圧領域を有するエダクタ（３６）と、
第１端部が液体濃縮物を収容する容器（２１）に接続され、第２端部が該エダクタ（３６）の該減圧領域に接続されている第１液導管（５１）と  
入水口コネクタ（１８）と第２液導管（５７）と該エダクタ（３６）の該入水口と液体連通している減圧遮断弁（２０）と
を有し、該第２液導管（５７）は、第１端部は該第１液導管（５１）に接続され、第２端部は該減圧遮断弁（２０）に接続され、
使用時、希釈液は該入水口コネクタ（１８）、該減圧遮断弁（２０）を通過して該エダクタ（３６）に入り、排出口（４０）から排出され、
該希釈液が該エダクタ（３６）を通過するときに該第１液導管（５１）が減圧され、この減圧により、該液体濃縮物が該容器（２１）から該エダクタ（３６）に引き出され、該希釈液と混合して排出口（４０）から排出され、
該容器（２１）が空になり潰れるまで該液体濃縮物は該容器（２１）から引き出され続け、結果として生じた減圧は該減圧遮断弁（２０）を駆動し該希釈液の供給を遮断する
ことを特徴とする減圧遮断部。
【請求項２】 クレーム１に記載の減圧遮断部であって、容器（１２）内で封止可能に位置するよう、該エダクタの該排水口が構成され配列されることを特徴とする減圧遮断部。
【請求項３】 クレーム１に記載の減圧遮断部であって、さらに該減圧遮断部（２０）と前記エダクタ（３６）とを接続する第２遮断弁（３０）を有し、それにより流体連通することを特徴とする減圧遮断部。
【請求項４】 クレーム３に記載の減圧遮断部であって、前記第２遮断弁（３０）は、フロート（３３）により駆動することを特徴とする減圧遮断部。
【請求項５】 クレーム１に記載の減圧遮断部であって、さらに第３導管（５４）の第１端部が前記第２導管（５７）に接続され、第２端部が大気圧に通じることを特徴とする減圧遮断部。
【請求項６】 クレーム５に記載の減圧遮断部であって、さらに前記第３導管（５４）に接続しているバルブ部材（５５）を含むことを特徴とする減圧遮断部。
【請求項７】 クレーム５に記載の減圧遮断部であって、前記第１導管（５１）、前記第２導管（５７）、前記第３導管（５４）は、共通コネクタ（４９）に接続されることを特徴とする減圧遮断部。
【請求項８】 クレーム７に記載の減圧遮断部であって、前記第１導管（５１）はそれぞれ前記共通コネクタ（４９）に接続する２つの部材（５１，４７）から成ることを特徴とする減圧遮断部。
【請求項９】 クレーム１に記載の減圧遮断部であって、前記減圧遮断弁（２０）は、磁力で真空動作するバルブ（２７）を有することを特徴とする減圧遮断部。
【請求項１０】 クレーム１に記載の減圧遮断部であって、第１液が液体濃縮物であることを特徴とする減圧遮断部。
【請求項１１】 クレーム１に記載の減圧遮断部であって、前記入水口コネクタ（１８）が水源に接続されていることを特徴とする減圧遮断部。
【発明の詳細な説明】
【０００１】
【発明の属する技術分野】
本発明は、濃縮物が吸引されて希釈液と混合される液体混合装置に関する。特に、本発明は混合装置のための真空により動作する遮断部に関する。
【０００２】
【従来の技術】
源泉から濃縮物を取り出し、これを水のような希釈液と混合するためにエダクタが、一般に使用される。
【０００３】
希釈タンク内に濃縮物を引き入れるためエダクタを用いて溶液を作る際、問題が発生する。
【０００４】
オペレータが、濃縮物が流れ出ているコンテナを監視しなければ、濃縮物が無くても、水はタンク内に流れ続ける。
これは望ましくない希釈を生じさせる。
【０００５】
本問題を解決するために、遮断弁が自動遮断デバイスを形成する。
液体混合装置のために自動遮断デバイスを提供するための技術が知られている。
【０００６】
米国特許第５，３９８，７３３号に記載されたある一つのデバイスでは、濃縮物の流れを止めるため、バレルライナＬがマニホールド１４の引込口３８に出される。
米国特許第３，３５１，２３８号における圧力で作動するスイッチ４１がエダクタ２２に関連して、記載され、該スイッチは貯蔵容器２５への供給低下を検知して報知ライトを点灯させる。
【０００７】
従来の技術では、比較的少量のコンテナにも容易に対応することができ、電気の使用を不必要にするエダクタ混合装置のための自動遮断デバイスが記載されていない。
【０００８】
このように、エダクタ混合装置のための改善された遮断デバイスの必要性があった。
ゆえに本発明の目的は、ａ．混合システムのための改良された遮断デバイスを提供する。
ｂ．動作のために電気を必要としない前述の遮断デバイスを提供する。
ｃ．充填容器及び濃縮物コンテナに容易に接続される前述の遮断デバイスを提供する。
ｄ．容易に製作および組み立てが可能な前述の形態の遮断デバイスを提供する。
【０００９】
【発明の概要】
本発明による減圧液体混合装置のための圧力遮断部が前記目的を達成し、従来技術の欠点を克服する。
【００１０】
エダクタは、液体入水口と、排水口と、エダクタの減圧領域に第２端部が接続される第１液導管を有する減圧領域を有している。
第２導管が、第１導管の第１端部に接続される。
減圧遮断弁がエダクタの入口に接続される。
液吸込導管が減圧遮断弁に接続され、第２導管の第２端部が減圧遮断弁に接続されている。
【００１１】
一つの形態では、エダクタの排水口は、容器内の密封可能に構成され且つ配置され、液吸込導管とエダクタとの間には第２遮断弁が接続され、それらと液送を行う。
【００１２】
他の形態では、第３導管が第２導管その一端で接続されて、大気圧に通じ、他端は第３導管に接続されたバルブ部材に接続されている。
【００１３】
好ましい具体例では、第１、第２、第３導管が共通の接続具に接続されており、第１導管は２つの部材から構成され、そのそれぞれは共通接続具に接続する。
【００１４】
さらに他の形態では、減圧遮断弁は、磁力で作動するバルブを有する。
【００１５】
他の好ましい具体例では、減圧液体混合装置のための減圧遮断部は、第１端部が液の源泉に接続された第１導管を有する。
【００１６】
また他の形態では、第１液が化学濃縮物であり、液吸込導管が水源に接続されている。
【００１７】
他の形態では、減圧遮断部が貯蔵容器に接続されており、エダクタの排水口は貯蔵容器の頂上に開けられるよう位置し、また排水導管は貯蔵荷台の底部に接続されている。
【００１８】
さらに本発明の他の形態と利点は、以下に続く好適な実施例によって明確になるであろう。
【００１９】
【発明の詳細な記述】
図１および図２を参照して、遮断部１０は、通常、テーブル１３上に支えられたフィリングタンク（filling tank）もしくは容器１２を内蔵している液体混合装置に関連して示される。
【００２０】
ドレンホース１４がタンク１２に接続され、水充填用ホース１６が遮断部１０に接続されている。
【００２１】
濃縮された洗浄剤のためのコンテナ１５もまたテーブル１３上に支持されている。
【００２２】
洗浄剤の具体例は、Johnson UHS Cleaner SC, GP Forward.TM. Cleaner SC and Stride.TM.-Citrus Neutral Cleaner HC, and is available from S. C. Johnson & Sonである。
【００２３】
これらはプラスチック袋２１に入れられている。
遮断部１０の詳細な図解は、図３ー４に示されている。
遮断部１０は、充填用ホース１６のための注入コネクタ１８を有している。
【００２４】
コネクタ１８は、真空遮断弁部２０と液通する。真空遮断弁部２０は、オハイオ州シンシナティのハイドロシステムカンパニから入手可能な改良型「Hydro Minder model 506」であることが望ましい。
【００２５】
この改良型「Hydro Minder model 506」は、２７に示され、ブラケット２５によって支持された真空アクチュエータ２３によって稼働される。
【００２６】
非改造型「Hydro Minder model 506 float valve assembly generally 30」が、導管３１によって真空遮断弁部２０に接続されている。
【００２７】
導管３４が、遮断弁部３０と、エダクタ３６との間の結合を行う。
【００２８】
好ましいエダクタは、１９９７年２月２０日に提出された出願番号第０８／８０３４８８号に記述されており、本願と同じ譲受人に譲渡され、その開示内容は、本願に取り入れられる。
【００２９】
エダクタ３６はカラー３９上に支持され、カラー３９の次段には、ネジ切りがなされた栓アダプタ４４が接続され、タンク１２に内部連絡を提供するようにしている。
【００３０】
遮断部１０がタンクの上に設置されると、ホース４０はエダクタ３６と液通しタンク１２の内側に配置される。
【００３１】
ブラケット４１がカラー３９から延長し、遮断弁部３０および２０を支持する。
【００３２】
ハウジング１９は、以前に記述した構成部分を包含する。
【００３３】
図５に示すようにキャップコネクタ４３が、コンテナ１５と、プラスチック袋２１との接合を提供する。
【００３４】
導管４７がキャップコネクタ４３とＴ型コネクタ４９との間に延存し、導管５１がＴ型コネクタ４９とエダクタ３６を相互に連結する。
【００３５】
導管５３がＴ型コネクタ４９と、導管５４と５７とが延長されたホースバルブＴ５６との間に延長される。
【００３６】
真空リリーフバルブ５５に導管５４が接続され、これに対し、導管５７が真空アクチュエータ２３に結合している。
【００３７】
真空アクチュエータ２３は、バルクランプ社やインディアナポリス社のヒータアクチュエータバルブを利用することができる。
【００３８】
図５−７は、以前に記述された導管４７、５１、５３とＴ型コネクタ４９による、コンテナ１５とプラスチック袋２１との連結が、真空遮断弁２０とエダクタ３６とともにさらに示されている。
【００３９】
図８に注目すると、真空リリーフバルブ５５がテーブル１３の脚５８の一つに固定されているのが示されている。
【００４０】
図９−１１に注目すると、遮断部２０を動作させるための真空アクチュエータ２３が示されている。
【００４１】
この真空アクチュエータ２３は、スプリング２８と、ダイヤフラム２９のための２分割のハウジング３３を有している。
【００４２】
カップ３５がダイヤフラム２９に対して嵌め込まれ、当該カップに対してロッド２４が固定される。
【００４３】
図１２は、改良型「Hydro Minder」遮断弁部２０の変形例を示している。
改良点は、マグネット６６上に位置するようにしたスプリングを除去したことと、マグネット６６をヨーク２６とバキュームアクチュエータ２３に関連して上下動するようにヨーク２６を設計変更した点である。
【００４４】
他の点では、有用なバルブ部が、入水口６３と排水口６４が付いたハウジング６２を有している。
【００４５】
ダイヤフラム６５によって入口６３と出口６４との間の通路が閉じたり開いたりし、通常の貫通オリフィスによってパイロット圧制御される。
【００４６】
ニードルバルブ６７とスプリングの付勢力によって中央オリフィスが閉じられ、水圧によって、ダイヤフラム６５が上昇し、水が入口６３と出口６４との間に流れる。
【００４７】
ヨーク２６とバルブ６７上の磁石６６の吸引力によってニードルバルブ６７が上方に移動すると、水がオリフィス内を流れ、圧力を均一にし、ダイアグラムが閉止位置に動く。
【００４８】
（操作）
自動真空遮断部１０のより良い理解は、混合装置に関連する動作説明よって得られるであろう。
【００４９】
図４と図１３を参照して、水等の希釈液は、ホース１６に管圧力で供給され、コネクタ１８の入口を通り、真空遮断弁部２０、導管３１、フロートバルブ部３０を通り、エダクタ３６に入る。
【００５０】
エダクタ３６から水は、ホース４０によってタンク１２に与えられる。
【００５１】
水がエダクタ３６を通過すると、導管５１内は負圧になる。
【００５２】
この負圧は、プラスチック袋２１か液体濃縮物をエダクタ３６に導いて水と混合させ、タンク２１に送る。
【００５３】
プラスチック袋２１からの引き出しは、プラスチック袋２１が空になり、袋自身が潰れるまで続けられる。
【００５４】
本装置はクローズドなシステムであるから、バッグ２１が潰れると、エダクタ３６によって１３５４５．６Ｐａ（４水銀柱インチ）が作り出される。
【００５５】
この減圧が１６９３２．６Ｐａ（５水銀柱インチ）に達すると、チェックバルブ６０が開き、導管５７中の減圧がヨーク２６とダイヤフラム２９を上方に引っ張る。
【００５６】
これは、磁力によって引きつけられたニードルバルブを引き起こし、真空遮断弁が作動する。
【００５７】
これにより混合システムの他の部分への水の供給が遮断することは、以前に図１２に関連して説明した。
【００５８】
捕らえられた負圧が押しボタンバルブ５５に接続した大気や導管５４、５７によって排出されるまで、このシステムはこの位置を保つ。
【００５９】
図１３に示されるチェックバルブ６０は、Ｔ型コネクタ４９の中に内包され、導管５３が接続される位置に配置される。
【００６０】
タンク１２内に位置し、フロートヨーク３２に接続するフロート６２が図１３に関連して示されている。
【００６１】
これは、水位が予定のレベルに達した際、閉鎖したフロートバルブ部３０によってタンク１２内で水があふれるのを防止する。
【００６２】
真空遮断部１０に関連する混合装置は、タンク１２に希釈のため１分間に７．６乃至１５．１リットル（２乃至４ガロン）を送り出すことができる。
【００６３】
真空遮断部１０の重要な特色は、電気等の他の外部の力やパワーを必要とせずに自動で稼働することである。
【００６４】
本システムは、バッグ２１が空であるのになおエダクタを通して流れる水によって希釈されるのを事前に防止する。
【００６５】
遮断弁部に関連して提供される混合装置の付け加えられる利点は、濃縮液を断ったり、再開させることが容易である。
【００６６】
他の付け加えられる特徴は、混合タンクからプロダクトを、付加的な圧力無しに１分間に１３３リットル（３５ガロン）の割合でホース１４を通して分配することができる。
【００６７】
プロダクトの混合と速い送り出しを、入ってくる入水の圧力だけで達成するコンパクトなシステムが実現される。
【００６８】
（産業への適用）
液体混合装置又はシステムを自動遮断装置とする、真空もしくは減圧遮断部が有用である。
【００６９】
上記は、本発明の好ましい実施例である。
【００７０】
しかしながら、これらの技術は、当業者であれば、種々の変更や修正を本発明の範囲から外れずに行うことができることを理解すべきである。
【００７１】
例えば、本発明の遮断部を特定のエダクタ３６に関連して説明したが、他のエダクタでも、必要な負圧が提供できる限り、これを利用することができる。
【００７２】
そのうえ、特定の真空もしくは減圧用遮断弁２０が図示されている。
【００７３】
しかしながら、他の減圧用の遮断弁もエダクタとともに使用できる限り利用することができる。
【００７４】
フロートが稼働するバルブ部３０は水のあふれを防止する。
これは削除することができるであろうが、真空遮断装置の利点は保持している。
【００７５】
特定の液体クリーニング剤と水を希釈材として使うことについて説明したが、例えば床清掃剤や、トイレ洗浄剤、食品加工の脱脂や消毒剤、工業プラントの清掃剤、乗り物用洗浄剤、床清掃、カーペットクリーナ、芳香剤やガラスクリーナなどにも使用される。
【００７６】
濃縮液体と一緒に混合するために加圧水の力を用いることも、必ずしも必要ではない。
【００７７】
他の加圧液体、すなわち炭化水素溶剤や、アルコールや、エステルや、エーテルや、ケトンを、濃縮液体と一緒に使用することができる。
【図面の簡単な説明】
【図１】
本発明の遮断部を有する液体混合装置の透視図である。
【図２】
図１に示される液体混合装置の正面図である。
【図３】
遮断部のためのハウジングの透視図である。
【図４】
遮断部の正面図である。
【図５】
遮断部の部分を図示した詳細図である。
【図６】
遮断部の部分を図示した詳細図である。
【図７】
遮断部の部分を図示した詳細図である。
【図８】
遮断部の部分を図示した詳細図である。
【図９】
遮断部に使用される真空アクチュエータの透視図である。
【図１０】
図９に示されるアクチュエータの側面図である。
【図１１】
図９および図１０に示されるアクチュエータの断面図である。
【図１２】
遮断部に使用される遮断弁の概略の図解である。
【図１３】
本発明の遮断部の概略の図解である。
【手続補正２】
【補正対象書類名】図面
【補正対象項目名】図１３
【補正方法】変更
【補正の内容】
【図１３】
2003501240.tif 000001